(57)【要約】【課題】ロック機構が邪魔にならないと共に、ロック機構の破壊行為を防止できるケースの収納容器を提供する。【解決手段】ＣＤ又はＤＶＤ等のケース１２が出し入れ自在な開口部１５を正面に有した収納容器本体１３と、該収納容器体本１３の上端部１７に前記ケース１２の取り出しを制限する押し釦式のロック機構１４とを備えたケースの収納容器１３であって、前記ロック機構１４は、本体部３１と、該本体部３１に配設される板バネ３２と、該板バネ３２によって突出状態が保持されるロック部材３３とから構成され、前記上端部１７には、前記本体部３１を嵌め込む嵌合部１８が形成されている。また、前記本体部３１の両側部３８と、前記嵌合部１８の両壁部２１とは、それぞれ凹凸状に形成されて密接していることが望ましい。【選択図】図１
2007253998.tif 000002
【特許請求の範囲】
【請求項１】
ＣＤ又はＤＶＤ等のケースが出し入れ自在な開口部を正面に有した収納容器本体と、該収納容器体本の上端部に前記ケースの取り出しを制限する押し釦式のロック機構とを備えたケースの収納容器であって、
前記ロック機構は、本体部と、該本体部に配設される板バネと、該板バネによって突出状態が保持されるロック部材とから構成され、
前記上端部には、前記本体部を嵌め込む嵌合部が形成されていることを特徴とするケースの収納容器。
【請求項２】
前記本体部には、小突起が形成され、
前記嵌合部には、前記小突起が嵌着する小孔が形成されていることを特徴とする請求項１に記載のケースの収納容器。
【請求項３】
前記本体部の両側部と、前記嵌合部の両壁部とは、それぞれ凹凸状に形成されて密接していることを特徴とする請求項１に記載のケースの収納容器。
【発明の詳細な説明】
【技術分野】
【０００１】
本発明は、ＣＤ、ＤＶＤ等のケースの収納容器に関するものであり、更に詳しくは、収納容器の内部に防犯タグを保持した状態でケースを収納すると共に、ロック機構の操作によりケースの収納状態をロック（施錠）することができる、ケースの収納容器に関するものである。
【背景技術】
【０００２】
従来、この種の収納容器としては、次のような構成のものが知られている。図９に示すように、ＣＤケース１の収納容器２は、ＣＤケース１が出し入れ自在な取出部３を側面に有する収納容器本体４と、この収納容器本体４からＣＤケース１の取り出しを制限する押し釦式のロック機構５とから構成される（特許文献１参照）。
【０００３】
ロック機構５は、収納容器本体４の天板６に設けられており、Ｕ字状の板バネと、この板バネによって突出状態が保持され且つ天板６を貫通して設けられるロック部材７とを有する。
【０００４】
また、ロック機構５の解除は、強力な磁石を備えた特殊な解錠装置を用いて行い、この解錠装置の凹部にロック機構５を挿入することにより、板バネを磁力で広げてロック部材７との係合を解除する。
【特許文献１】特開２０００−２０３６８１号公報
【発明の開示】
【発明が解決しようとする課題】
【０００５】
この従来例のＣＤケース１の収納容器２においては、ロック機構５が天板６よりも上部に突出した状態で設けられているので、棚などに収納するときにロック機構５が邪魔になるという欠点がある。
【０００６】
また、同様にロック機構５が天板６から上部に突出して設けられているので、ロック機構５と天板６との隙間にドライバー等を無理矢理差し込んで、破壊されるおそれがあるという欠点も有している。
【０００７】
従って、従来例におけるＣＤケース１の収納容器２においては、収納時などにロック機構５が邪魔にならないようにすることと、ロック機構５の破壊を防止することとに解決しなければならない課題を有している。
【課題を解決するための手段】
【０００８】
前記従来例の課題を解決する具体的手段として本発明は、ＣＤ又はＤＶＤ等のケースが出し入れ自在な開口部を正面に有した収納容器本体と、該収納容器体本の上端部に前記ケースの取り出しを制限する押し釦式のロック機構とを備えたケースの収納容器であって、前記ロック機構は、本体部と、該本体部に配設される板バネと、該板バネによって突出状態が保持されるロック部材とから構成され、前記上端部には、前記本体部を嵌め込む嵌合部が形成されていることを特徴とするケースの収納容器を提供するものである。
【０００９】
また、前記本体部には、小突起が形成され、前記嵌合部には、前記小突起が嵌着する小孔が形成されている構成としたものであり、さらに、前記本体部の両側部と、前記嵌合部の両壁部とは、それぞれ凹凸状に形成されて密接している構成としたものである。
【発明の効果】
【００１０】
本発明に係るケースの収納容器は、ＣＤ又はＤＶＤ等のケースが出し入れ自在な開口部を正面に有した収納容器本体と、該収納容器体本の上端部に前記ケースの取り出しを制限する押し釦式のロック機構とを備えたケースの収納容器であって、前記ロック機構は、本体部と、該本体部に配設される板バネと、該板バネによって突出状態が保持されるロック部材とから構成され、前記上端部には、前記本体部を嵌め込む嵌合部が形成されていることによって、本体部が嵌合部に嵌合するので、ロック機構が上端部よりも上部に突出しない。従って、収納容器を棚などに収納するときにロック機構が邪魔にならないという優れた効果を奏する。
【００１１】
また、本体部には、小突起が形成され、前記嵌合部には、前記小突起が嵌着する小孔が形成されていることによって、本体部を嵌合部に嵌め込むときに、小突起を小孔に嵌着すればよい。従って、収納容器の組立作業が簡単におこなえると共に、ロック機構が脱落しないという優れた効果を奏する。
【００１２】
更に、本体部の両側部と、前記嵌合部の両壁部とは、それぞれ凹凸状に形成されて密接していることによって、本体部と嵌合部との間が凹凸状態に密接するので、ドライバー等を無理矢理差し込むことができない。従って、ロック機構の破壊行為を防止できるという優れた効果を奏する。
【発明を実施するための最良の形態】
【００１３】
次に、本発明の実施の形態について図面を参照しながら説明する。まず、図１、図７及び図８において、符号１１はケースの収納容器を示し、この収納容器１１は、ＣＤ又はＤＶＤ等のケース１２が出し入れ自在な収納容器本体１３と、この収納容器体本１３の上端部に設けられた押し釦式のロック機構１４とから構成される。
【００１４】
収納容器本体１３は、プラスチックなどの合成樹脂材で一体に形成されており、適度な剛性と弾性とを有していると共に、内部に収納したＣＤ又はＤＶＤ等のケース１２を外部から視認することができるように透明又は半透明に形成されている。
また、収納容器本体１３の内部の大きさは、所定規格形状のケース１２を略ピッタリと収納できる程度の大きさに形成されていると共に、高さ（上下方向の長さ）は、ケース１２よりも約１５ｍｍ程度長めに形成されている。
【００１５】
収納容器本体１３の正面側は、ケース１２が出し入れ自在に開放した開口部１５が形成されていると共に、開口部１５の上端部に沿って垂下部１６が設けられている。
この垂下部１６は、後述するロック機構１４の操作により収納容器本体１３内に突出するロック部材３３の長さよりも、垂下長さが幅広に形成されている。
【００１６】
また、垂下部１６の上端縁、即ち、収納容器本体１３の上部には、横長の天板（上端部）１７が一体に設けられている。
【００１７】
この天板１７の所定位置には、嵌合部１８が形成されている。嵌合部１８は、図２（ロ）に示すように、凹部１８ａと、この凹部１８ａの両端に設けられた段差部１８ｂ、１８ｂとからなる。凹部１８ａの底部には、貫通孔１９が形成されており、そして、凹部１８ａの両端には、係止溝３４、３４が形成されている。また、段差部１８ｂには、小孔２０が形成されている。更に、嵌合部１８の両方の壁部２１、２１は、凹凸状に形成されている。
【００１８】
このような構成の嵌合部１８は、後述するロック機構１４の本体部３１が嵌め込まれる（図２（イ）参照）。また、貫通孔１９にはロック部材３３が貫通し、そして、係止溝３４、３４には係止片３７、３７が係止し、更に、小孔２０には本体部３１の小突起３６が嵌着する。更には、両方の壁部２１、２１は、本体部３１の両方の側部３８、３８と凹凸状態に密接する（図３参照）。
【００１９】
天板１７の背面側には、略正方形状の背面板２２が一体に設けられている。この背面板２２には、窓孔２３が形成されており、この窓孔２３から収納されているケース１２に指を当接させることができる。
【００２０】
また、背面板２２の内側面には、段部２４と段部２５とで仕切られた窪み部２６が形成されており、この窪み部２６の適宜位置には、図示しない防犯タグを接着などの貼着手段で取り付ける。
【００２１】
背面板２２の下端縁には、横長の底面板（底部）２７が一体に設けられており、この底面板２７の正面側の縁部には、所定幅の立上部２８が一体に設けられている。
【００２２】
背面板２２の両方の側面には、縦長の側面板２９及び側面板３０が一体に設けられている。側面板２９及び側面板３０は、それぞれ垂下部１６、天板１７、底面板２７、及び立上部２８の端部に一体に連接している。
【００２３】
ロック機構１４は、図４から図６に示すように、本体部３１と、この本体部３１の内部に配設される板バネ３２と、この板バネ３２によって突出状態が保持され且つ嵌合部１８の貫通孔１９を貫通して設けられる柱状のロック部材３３とから構成される。
【００２４】
本体部３１の両端には、薄肉部３５、３５が設けられており、この薄肉部３５の底部に小突起３６が形成されている。薄肉部３５は段差部１８ｂに嵌合し、このとき、小突起３６が段差部１８ｂの小孔２０に嵌着する（図２（イ）（ロ）参照）。従って、本体部３１を嵌合部１８に嵌め込むときに、収納容器１１の組立作業が容易であると共に、本体部３１が嵌合部１８から脱落しない。
【００２５】
本体部３１における、薄肉部３５の基部側には、係止片３７が形成されている。係止片３７は、凹部１８ａの係止溝３４に係止するので（図２（イ）（ロ）参照）、前記小突起３６の存在と相俟って、収納容器１１の組立作業が容易であると共に、本体部３１が嵌合部１８から脱落しない。
【００２６】
本体部３１の両方の側部３８、３８は、凹凸状に形成されており（図２（イ）、及び図５参照）、この側部３８、３８が、嵌合部１８の両方の壁部２１、２１と凹凸状態に密接する（図２（ロ）及び図３参照）。従って、本体部３１と嵌合部１８との間にドライバー等を無理矢理差し込むことができないので、ロック機構１１の破壊行為を防止できるのである。
【００２７】
本体部３１の下部側には、図５に示すように、Ｕ字状の溝部３９が形成されており、この溝部３９に板バネ３２が配設されている。
【００２８】
板バネ３２は、図５及び図６に示すように、Ｕ字状に形成されており、この板バネ３２がロック部材３３の両側部を挟持している。
【００２９】
ロック部材３３の両側部は、図６に示すように、係合段部４０、４０が形成されており、ロック部材３３を下部に押し込んだときに、板バネ３２が係合段部４０、４０と係合して、ロック部材３３の押し込んだ状態を保持する。
【００３０】
また、ロック部材３３の頂部４１は、本体部３１の上部から突出できるように配設されており、操作者は頂部４１を指で押すことにより操作する。
【００３１】
また、係合段部４０、４０と係合した板バネ３２は、図示しない所定の解錠装置を用いて、ロック機構１４の外部から強力な磁石により板バネ３２を両側に広げて、ロック部材３３との係合を解除する。
【００３２】
次に、以上のような構成のケースの収納容器１１の使用方法について説明する。まず、ケース１２の収納時は、図７に示すように、ロック機構１４のロック部材３３を突出させて、ケース１２が上下方向に移動しないように（ガタ付かないように）固定しておく。
このとき、前述したように、垂下部１６の幅が収納容器本体１３内に突出したロック部材３３の長さよりも幅広に形成されているので、ケース１２の上部１２ａが垂下部１６に当接して保持される。従って、収納容器本体１３の正面側からケース１２が抜け落ちることがない。
【００３３】
そして、ケース１２を取り出すときは、図８に示すように、所定の解錠装置でロック機構１４を解錠してロック部材３３を後退させてから、ＣＤケース１２を上方に押し上げて、次いで開口部１５の立上部２８側からＣＤケース１２を取り出すことができる。
【図面の簡単な説明】
【００３４】
【図１】本発明に係るケースの収納容器１１の斜視図である。
【図２】（イ）ロック機構１４の側面図である。（ロ）嵌合部１８の縦断面図である。
【図３】嵌合部１８に嵌め込まれたロック機構１４の平面図である。
【図４】ロック機構１４の縦断面図である。
【図５】ロック機構１４の底面図である。
【図６】板バネ３２とロック部材３３との関係を説明する要部斜視図である。
【図７】ケース１２を収納した収納容器１１をロック（施錠）した状態の正面図である。
【図８】ケース１２を収納した収納容器１１を解錠した状態の正面図である。
【図９】従来例に係るＣＤケース１の収納容器２の斜視図である。
【符号の説明】
【００３５】
１    ＣＤケース
２    収納容器
３    取出部
４    収納容器本体
５    ロック機構
６    天板
７    ロック部材
１１  ケースの収納容器
１２  ケース
１２ａ上部
１３  収納容器本体
１４  ロック機構
１５  開口部
１６  垂下部
１７  天板（上端部）
１８  嵌合部
１８ａ凹部
１８ｂ段差部
１９  貫通孔
２０  小孔
２１  壁部
２２  背面板
２３  窓孔
２４、２５  段部
２６  窪み部
２７  底面板（底部）
２８  立上部
２９、３０  側面板
３１  本体部
３２  板バネ
３３  ロック部材
３４  係止溝
３５  薄肉部
３６  小突起
３７  係止片
３８  側部
３９  溝部
４０  係合段部
４１  頂部
【図１】
2007253998.tif 000003
【図２】
2007253998.tif 000004
【図３】
2007253998.tif 000005
【図４】
2007253998.tif 000006
【図５】
2007253998.tif 000007
【図６】
2007253998.tif 000008
【図７】
2007253998.tif 000009
【図８】
2007253998.tif 000010
【図９】
2007253998.tif 000011